(57)【要約】【課題】風が強いときでも室内に外気を取り込むことができ、合わせて塵埃の除去を行うことができるとともに、サッシを通して見ることができる範囲を大幅に狭めることがなく、かつ室内への採光を大幅に悪化させることがない網戸付きサッシを提供する。【解決手段】上枠１ａ、下枠１ｂおよび左右の縦枠１ｃ，１ｄからなるサッシ枠１と、このサッシ枠１に移動自在に設けられた内障子３および外障子５と、サッシ枠１に移動自在に設けられるとともに、上下の横框２３ａ，２３ｂと左右の縦框２３ｃ，２３ｄとにより方形に組み立てられた框組体２３の内側に網２７ａ，２７ｂが設けられてなる網戸７とを備え、かつ網戸７の框組体２３の内側の左端部にフィルタ２６ａ，２６ｂが設けられている。【選択図】　　　図３
2004011353.tif 000002
【特許請求の範囲】
【請求項１】
上枠、下枠および左右の縦枠からなるサッシ枠と、このサッシ枠に移動自在に設けられた障子と、前記サッシ枠に移動自在に設けられるとともに、上下の横框と左右の縦框とにより方形に組み立てられた框組体の内側に網が設けられてなる網戸とを備え、かつ、前記網戸の前記框組体の内側のうち、前記網戸の移動方向の少なくとも一方の端部にフィルタが設けられていることを特徴とする網戸付きサッシ。
【請求項２】
上枠、下枠および左右の縦枠からなるサッシ枠と、このサッシ枠に移動自在に設けられた障子と、前記サッシ枠に移動自在に設けられるとともに、上下の横框と左右の縦框とにより方形に組み立てられた框組体の内側に網が設けられてなる網戸とを備える網戸付きサッシに用いられる網戸であって、
前記框組体の内側のうち、前記網戸の移動方向の少なくとも一方の端部にフィルタが設けられていることを特徴とする網戸。
【発明の詳細な説明】
【０００１】
【発明の属する技術分野】
本発明は、網戸付きサッシおよびこれに用いられる網戸に関する。
【０００２】
【従来の技術】
従来から、サッシ枠に障子および網戸が移動自在に設けられてなる網戸付きサッシが知られている。このような網戸付きサッシにおいては、網戸を閉めた状態で障子を開けることにより、外気を室内にとり込みつつ、虫等の室内への侵入を防止することができる。
【０００３】
【発明が解決しようとする課題】
しかしながら、この従来の網戸付きサッシにおいては、風の強いときには、この強い風が網戸の網を通して室内に入るので、障子を開けておくことができないため、室内に外気を取り込むことができないという問題がある。
また、このような網戸付きサッシに用いられる網戸としては、上下の横框と左右の縦框とにより方形に組み立てられた框組体の内側全体にフィルタを取り付けているものが知られている（例えば、特開２００１−３１１３７２号公報参照）。
しかしながら、框組体の内側全体にフィルタを設けると、このフィルタがサッシ枠内の広い範囲を遮るので、このサッシを通して見ることができる範囲が大幅に狭くなってしまうとともに、室内への採光が大幅に悪化してしまうという問題がある。
【０００４】
本発明は、上記事情に鑑みて為されたもので、風が強いときでも室内に外気を取り込むことができ、合わせて塵埃の除去を行うことができるとともに、サッシを通して見ることができる範囲を大幅に狭めることがなく、かつ室内への採光を大幅に悪化させることがない網戸付きサッシおよび網戸を提供することを目的とする。
【０００５】
【課題を解決するための手段】
上記目的を達成するために、請求項１に記載の網戸付きサッシは、上枠、下枠および左右の縦枠からなるサッシ枠と、このサッシ枠に移動自在に設けられた障子と、前記サッシ枠に移動自在に設けられるとともに、上下の横框と左右の縦框とにより方形に組み立てられた框組体の内側に網が設けられてなる網戸とを備え、かつ、前記網戸の前記框組体の内側のうち、前記網戸の移動方向の少なくとも一方の端部にフィルタが設けられていることを特徴とする。
【０００６】
請求項１に記載の発明においては、風が強いときには、障子を網戸のフィルタの部分まで開けて、このフィルタを通して室外の空気を室内に取り込み、風が強くないときには、この障子を網戸の網の部分まで開けて、網戸の網の部分を通して、外気を室内に十分に取り込む。
本発明にあっては、網戸の框組体の内側のうち、網戸の移動方向の少なくとも一方の端部に設けられたフィルタが、室内に入る風の量を抑えるので、風が強いときであっても、障子を網戸のフィルタの部分まで開けることができ、室内に外気を取り込むことができる。しかも、塵埃を除去しつつ外気を取り込むことができる。
また、フィルタは、框組体の内側の端部にのみ設けられているので、サッシを通して見ることができる範囲を大幅に狭めることがないとともに、室内への採光を大幅に悪化させることがない。
【０００７】
請求項２に記載の網戸は、上枠、下枠および左右の縦枠からなるサッシ枠と、このサッシ枠に移動自在に設けられた障子と、前記サッシ枠に移動自在に設けられるとともに、上下の横框と左右の縦框とにより方形に組み立てられた框組体の内側に網が設けられてなる網戸とを備える網戸付きサッシに用いられる網戸であって、前記框組体の内側のうち、前記網戸の移動方向の少なくとも一方の端部にフィルタが設けられていることを特徴とする。
【０００８】
請求項２に記載の発明においては、網戸付きサッシの網戸として用いた場合に、風が強いときには、障子を網戸のフィルタの部分まで開けて、このフィルタを通して室外の空気を室内に取り込み、風が強くないときには、この障子を網戸の網の部分まで開けて、網戸の網の部分を通して、外気を室内に十分に取り込む。本発明にあっては、網戸の框組体の内側のうち、網戸の移動方向の少なくとも一方の端部に設けられたフィルタが、室内に入る風の量を抑えるので、風が強いときであっても、障子を網戸のフィルタの部分まで開けることができ、室内に外気を取り込むことができる。しかも、塵埃を除去しつつ外気を室内に取り込むことができる。
また、フィルタは、框組体の内側の端部にのみ設けられているので、サッシを通して見ることができる範囲を大幅に狭めることがないとともに、室内への採光を大幅に悪化させることがない。
【０００９】
【発明の実施の形態】
以下、添付した図面を参照しながら、本発明の実施の形態を説明する。
図１は、本発明の実施の形態に係る網戸付き引き違いサッシを示す縦断面図であり、図２は、図１の網戸付き引き違いサッシの横断面図であり、図３は、図１の網戸を室内側から見た正面図であり、図４は、図１の網戸を室外側から見た背面図である。
【００１０】
図１および図２に示すように、網戸付き引き違いサッシ（網戸付きサッシ）は、サッシ枠１と、内障子（障子）３と、外障子（障子）５と、網戸７とを備えている。
サッシ枠１は、上枠１ａと、下枠１ｂと、左右の縦枠１ｃ，１ｄとが方形に組み立てられてなるもので、このサッシ枠１内には、内障子３と外障子５とが引き違いに、かつ左右方向に移動自在（開閉自在）に取り付けられているとともに、外障子５の室外側に、網戸７が左右方向に移動自在に取り付けられている。
【００１１】
サッシ枠１の上枠１ａの下側には、上レール９ａ，１１ａ，１３ａが、この上枠１ａの長手方向に沿って一体に設けられており、サッシ枠１の下枠１ｂの上側には、下レール９ｂ，１１ｂ，１３ｂが、この下枠１ｂの長手方向に沿って一体に設けられている。これらの上レール９ａ，１１ａ，１３ａおよび下レール９ｂ，１１ｂ，１３ｂにより、各障子３，５および網戸７が移動自在に支持されている。
【００１２】
内障子３は、上下の横框１５ａ，１５ｂと左右の縦框１５ｃ，１５ｄとを方形に組み立てた框組体１５の内側にガラスパネル１７を嵌め込んで構成され、外障子５は、上下の横框１９ａ，１９ｂと左右の縦框１９ｃ，１９ｄとを方形状に組み立てた框組体１９の内側にガラスパネル２１を嵌め込んで構成されている。
【００１３】
図３および図４に示すように、網戸７は、方形状の框組体２３と、この框組体２３の内側に設けられた上下のフィルタ２５ａ，２５ｂおよび上下の網２７ａ，２７ｂとを備えている。
【００１４】
なお、サッシ枠１を構成する枠材、各障子３，５の各框組体１５，１９および網戸７の框組体２３を構成する框材は、例えば、アルミ押出形材からなっている。
【００１５】
框組体２３は、上下の横框２３ａ，２３ｂと左右の縦框２３ｃ，２３ｄとを方形状に組み立て、各横框２３ａ，２３ｂの間に中間縦框２３ｇを取り付け、左の縦框２３ｃと中間縦框２３ｇとの間に第１中間横框２３ｅ、中間縦框２３ｇと右の縦框２３ｄとの間に第２中間横框２３ｆをそれぞれ取り付けることにより構成されている。
【００１６】
図１に示すように、框組体２３の上の横框２３ａには、サッシ枠１の上レール１３ａにスライド可能に係合する上スライド部材２４がこの横框２３ａの長手方向に沿って取り付けられており、下の横框２３ｂには、サッシ枠１の下レール１３ｂにスライド可能に係合する下スライド部材２６がこの横框２３ｂの長手方向に沿って取り付けられている。
【００１７】
図１乃至図４に示すように、左の縦框２３ｃと中間縦框２３ｇとの間は、框組体２３の内側の左端部を構成しており、この左端部には上下のフィルタ２５ａ，２５ｂが設けられている。また、フィルタ２５ａ，２５ｂの室外側にはそれぞれ、ステンレス製の網２６ａ，２６ｂが設けられている。
【００１８】
すなわち、図１および図４に示すように、上の横框２３ａの下側でかつ左の縦框２３ｃおよび中間縦框２３ｇの間には、略Ｌ字板状の板部材３４が設けられており、この板部材３４の内側に、上の網２６ａの上端部を固定した固定部材３６が取り付けられている。
また、図１および図３に示すように、上の横框２３ａの室内側でかつ左の縦框２３ｃおよび中間縦框２３ｇの間には、板状の挟持部材３７が、ねじ等の取付具によって固定されており、この挟持部材３７の下端部３７ａは、上の横框２３ａよりも下方に延びている。
そして、挟持部材３７の下端部３７ａと板部材３４とにより、上のフィルタ２５ａの上端部が挟持されている。
【００１９】
図１および図４に示すように、第１中間横框２３ｅの上側および下側にはそれぞれ、略Ｌ字板状の板部材３８ａ，３８ｂが設けられている。上側の板部材３８ａの内側には、上の網２６ａの下端部を固定した固定部材３９が取り付けられており、下側の板部材３８ｂの内側には、下の網２６ｂの上端部を固定した固定部材４０が取り付けられている。
また、図１および図３に示すように、第１中間横框２３ｅの室内側には、板状の挟持部材４１がねじ等の取付具によって固定されており、この挟持部材４１の上端部４１ａおよび下端部４１ｂはそれぞれ、第１中間横框２３ｅの上下に延びている。
そして、挟持部材４１の上端部４１ａと、上側の板部材３８ａとにより上のフィルタ２５ａの下端部が挟持され、挟持部材４１の下端部４１ｂと下側の板部材３８ｂとにより下のフィルタ２５ｂの上端部が挟持されている。
【００２０】
図１および図４に示すように、下の横框２３ｂの上側でかつ左の縦框２３ｃおよび中間縦框２３ｇの間には、略Ｌ字板状の板部材４２が設けられており、この板部材４２の内側に、下の網２６ｂの下端部を固定した固定部材４３が取り付けられている。
また、図１および図３に示すように、下の横框２３ｂの室内側でかつ左の縦框２３ｃおよび中間縦框２３ｇの間には、板状の挟持部材４４が、ねじ等の取付具によって固定されており、この挟持部材４４の上端部４４ａは、下の横框２３ｂよりも上方に延びている。
そして、挟持部材４４の上端部４４ａと板部材４２とにより、下のフィルタ２５ｂの下端部が挟持されている。
【００２１】
図２および図４に示すように、左の縦框２３ｃの右側には、略Ｌ字板状の板部材４５が設けられており、この板部材４５の内側に、上下の網２６ａ，２６ｂのそれぞれの左端部を固定した固定部材４６が取り付けられている。この板部材４５には、右方向に突出する板状の突出部４５ａが一体に設けられている。
また、図２および図３に示すように、左の縦框２３ｃの室内側には、板状の挟持部材４７が、ねじ等の取付具によって固定されており、この挟持部材４７の右端部４７ａは、左の縦框２３ｃの右方に延びているとともに、板部材４５の突出部４５ａに向けて略く字状に曲げられている。
そして、挟持部材４７の右端部４７ａと板部材４５の突出部４５ａとにより、上下のフィルタ２５ａ，２５ｂの左端部がそれぞれ挟持されている。
【００２２】
図２および図４に示すように、中間縦框２３ｇの左側には、略Ｌ字板状の板部材４８が設けられており、この板部材４８の内側には、上下の網２６ａ，２６ｂのそれぞれの右端部を固定した固定部材４９が取り付けられている。この板部材４８には、左方向に突出する板状の突出部４８ａが一体に設けられている。
また、図２および図３に示すように、中間縦框２３ｇの室内側には、板状の挟持部材５０がねじ等の取付具によって固定されており、この挟持部材５０の左端部５０ａは、中間縦框２３ｇの左方に延びているとともに、左側の板部材４８の突出部４８ａに向けて略く字状に曲げられている。
そして、挟持部材５０の左端部５０ａと、板部材４８の突出部４８ａとにより上下のフィルタ２５ａ，２５ｂの右端部がそれぞれ挟持されている。
【００２３】
なお、上記フィルタ２５ａ，２５ｂとしては、不織布等を用いることができる。不織布としては、例えば、ポリエステルとポリクラールとの混合材からなる繊維、プロピレン系樹脂繊維、ポリエチレン系樹脂繊維等の各種の合成繊維製のもの、または綿、麻、絹等の天然繊維製のものを用いることができる。
【００２４】
一方、図２乃至図４に示すように、中間縦框２３ｇと右の縦框２３ｄとの間には、上下の網２７ａ，２７ｂが設けられている。
すなわち、図２および図４に示すように、中間縦框２３ｇの右側および右の縦框２３ｄの左側にはそれぞれ、略Ｌ字板状の板部材５１，５２が設けられており、これらの板部材５１，５２の内側にはそれぞれ、上下の網２７ａ，２７ｂの左端部および右端部を固定した固定部材５３，５４が取り付けられている。
【００２５】
また、上の横框２３ａの下側でかつ中間縦框２３ｇと右の縦框２３ｄとの間と、第２中間横框２３ｆの上側とにはそれぞれ、上記板部材５１，５２と同様な板部材５５，５６が設けられ、これらの板部材の内側に、上の網２７ａの上端部および下端部を固定した固定部材（図示せず）が取り付けられている。
【００２６】
また、下の横框２３ｂの上側でかつ中間縦框２３ｇと右の縦框２３ｄとの間と、第２中間横框２３ｆの下側とにはそれぞれ、上記板部材５１，５２と同様な板部材５７，５８が設けられ、これらの板部材の内側に、下の網２７ｂの上端部および下端部を固定した固定部材（図示せず）が取り付けられている。
【００２７】
このように構成された網戸付き引き違いサッシにおいては、風が強いときには、図５に示すように、外障子５を網戸７の上下のフィルタ２５ａ，２５ｂの部分まで開ける。これにより、これらのフィルタ２５ａ，２５ｂを通して室外の空気が室内に取り込まれるとともに、外気中の塵埃の室内への侵入が上下のフィルタ２５ａ，２５ｂにより阻止される。
一方、風が強くないときには、図６に示すように、網戸７を閉めた状態で、外障子５を広く開ける。これにより、網戸７の上下の網２７ａ，２７ｂを通して外気が室内に十分に取り込まれるとともに、虫等の室内への侵入が、上下の網２７ａ，２７ｂにより阻止される。
【００２８】
このような網戸付き引き違いサッシにあっては、網戸７の框組体２３の内側の左端部に設けられた上下のフィルタ２５ａ，２５ｂにより、室内に入る風の量を抑えることができる。このため、風が強いときであっても、外障子５を網戸７のフィルタ２５ａ，２５ｂの部分まで開けることができ、室内に外気を取り込むことができる。しかも、塵埃を除去しつつ外気を室内に取り込むことができる。
また、上下のフィルタ２５ａ，２５ｂは、框組体２３の内側の左端部のみに設けられているので、框組体の内側全体にフィルタを設ける従来の網戸に比べて、フィルタ２５ａ，２５ｂがサッシ枠１内を遮る範囲が狭くなるため、サッシを通して見ることができる範囲（視界）が大幅に狭くならないとともに、室内への採光が大幅に悪化することもない。
【００２９】
なお、上記実施の形態では、框組体２３の内側の左端部のみにフィルタ２５ａ，２５ｂを設けたが、これに代えて、框組体２３の内側の右端部のみ、あるいは框組体２３の内側の両端部にフィルタを設けるようにしても良い。要は、框組体２３の内側のうち、網戸７の移動方向の少なくとも一方の端部に、フィルタを設けるようにすれば良い。
【００３０】
また、上記実施の形態では、上下のフィルタ２５ａ，２５ｂを設けたが、これに代えて、上のフィルタ２５ａのみ、あるいは下のフィルタ２５ｂのみを設けるようにしても良い。この場合には、フィルタが設けられなかった箇所に、例えば、パネル等を設けるようにしても良い。
【００３１】
また、上記実施の形態では、サッシ枠１内に各障子３，５および網戸７を左右に移動可能に設けたが、これに代えて、サッシ枠内に各障子および網戸を上下に移動可能に設けるようにしても良い。この場合には、網戸のフィルタは、網戸の框組体の内側の上端部および下端部の少なくとも一方に設けられる。
【００３２】
また、上記実施の形態では、本発明を内障子３および外障子５の２枚の障子を用いた網戸付き引き違いサッシに適用した場合について説明したが、本発明は、例えば、４枚の障子を用いた網戸付き引き違いサッシ等にも適用することができる。
【００３３】
【発明の効果】
以上説明したように、請求項１に記載の網戸付きサッシによれば、風が強いときであっても、障子を網戸のフィルタの部分まで開けることができるので、室内に外気を取り込むことができる。しかも、塵埃を除去しつつ外気を取り込むことができる。また、サッシを通して見ることができる範囲を大幅に狭めることがないとともに、室内への採光を大幅に悪化させることがない。
【００３４】
請求項２に記載の網戸によれば、網戸付きサッシの網戸として用いた場合には、風が強いときであっても、障子を網戸のフィルタの部分まで開けることができるので、室内に外気を取り込むことができる。しかも、塵埃を除去しつつ外気を室内に取り込むことができる。また、サッシを通して見ることができる範囲を大幅に狭めることがないとともに、室内への採光を大幅に悪化させることがない。
【図面の簡単な説明】
【図１】本発明の実施の形態に係る網戸付き引き違いサッシを示す縦断面図である。
【図２】図１の網戸付き引き違いサッシの横断面図である。
【図３】図１の網戸を室内側から見た正面図である。
【図４】図１の網戸を室外側から見た背面図である。
【図５】外障子を網戸のフィルタの部分まで開けた状態を示す図である。
【図６】網戸を閉めた状態で、外障子を広く開けた状態を示す図である。
【符号の説明】
１　　　サッシ枠
１ａ　　上枠
１ｂ　　下枠
１ｃ，１ｄ　　縦枠
３　　　内障子（障子）
５　　　外障子（障子）
７　　　網戸
２３　　框組体
２３ａ，２３ｂ　横框
２３ｃ，２３ｄ　縦框
２５ａ，２５ｂ　フィルタ
２７ａ，２７ｂ　網
【図１】
2004011353.tif 000003
【図２】
2004011353.tif 000004
【図３】
2004011353.tif 000005
【図４】
2004011353.tif 000006
【図５】
2004011353.tif 000007
【図６】
2004011353.tif 000008